(57)【要約】【課題】ラベルの破損を防止できる瓶用包装箱を提供する。【解決手段】胴部３１よりも細い首部３２を有した瓶３０を包装する瓶用包装箱１において、複数の側面板１１〜１４を有した筒状の側面部２と、側面部２の上面を開閉する蓋部３と、側面部２の底面を閉じる底面部５と、対向する側面板１１、１３に連設して首部３２を支持する一対の支持板２０とを備え、支持板２０が側面板１１、１３の上端から折曲される脚部２１と、脚部２１から折曲して下方に延びる延設部２２と、延設部２２上に配して首部３２の周面に当接する当接部とを有し、延設部２２の下端が側面部２の内面に当接することにより、当接部が首部３２を押圧した状態で挟むようにした。【選択図】図３
2020070097.tif 000002
【特許請求の範囲】
【請求項１】
胴部よりも細い首部を有した瓶を包装する瓶用包装箱において、複数の側面板を有した筒状の側面部と、前記側面部の上面を開閉する蓋部と、前記側面部の底面を閉じる底面部と、対向する前記側面板に連設して前記首部を支持する一対の支持板とを備え、前記支持板が前記側面板の上端から折曲される脚部と、前記脚部から折曲して下方に延びる延設部と、前記延設部上に配して前記首部の周面に当接する当接部とを有し、前記延設部の下端が前記側面部の内面に当接することにより、前記当接部が前記首部を押圧した状態で挟むことを特徴とする瓶用包装箱。
【請求項２】
前記延設部に設けられる孔部と、前記孔部の水平方向に対向する二辺からそれぞれ折曲される押え片とを備え、前記当接部が前記押え片により形成されることを特徴とする請求項１に記載の瓶用包装箱。
【請求項３】
前記孔部の水平方向に対向する二辺の距離が前記脚部から離れるに従って狭くなることを特徴とする請求項２に記載の瓶用包装箱。
【請求項４】
前記蓋部を閉じた際に、前記蓋部の下面が前記延設部の上端に近接した状態または当接した状態に配されることを特徴とする請求項１〜請求項３のいずれかに記載の瓶用包装箱。
【請求項５】
一方の前記脚部が前記延設部との境界線上から突出する突出部を有し、他方の前記脚部に前記突出部が進入する切欠き部を設けたことを特徴とする請求項１〜請求項４のいずれかに記載の瓶用包装箱。
【請求項６】
前記延設部の下端に凹部を設けたことを特徴とする請求項１〜請求項５のいずれかに記載の瓶用包装箱。
【発明の詳細な説明】
【技術分野】
【０００１】
本発明は、瓶を包装する瓶用包装箱に関する。
【背景技術】
【０００２】
酒等の瓶を包装する従来の瓶用包装箱は特許文献１及び特許文献２に開示される。この瓶用包装箱は外箱及び外箱に内嵌される緩衝材を備え、胴部よりも細い首部を上部に配した瓶を収納する。外箱及び緩衝材は水平断面を矩形に形成される。外箱の上端部には円形の孔を開口した支持板が設けられる。
【０００３】
瓶の胴部は緩衝材の内側に挿入され、首部は支持板の孔に挿入される。これにより、瓶が支持され、搬送時の振動等による瓶の破損が防止される。
【先行技術文献】
【特許文献】
【０００４】
【特許文献１】特開平９−１３２２３２号公報（第２頁〜第５頁、第２図）
【特許文献２】特開２００９−２８０２７７号公報（第５頁〜第６頁、第１図、第２図）
【発明の概要】
【発明が解決しようとする課題】
【０００５】
通常、瓶の胴部には品名等を表示するラベルが貼り付けられる。上記従来の瓶用包装箱によると、支持板の孔は首部が嵌合する円形のため、瓶用包装箱に収納された瓶が搬送時等に周方向に回転する。この時、ラベルが緩衝材の内面に摺動して破損する問題があった。緩衝材が設けられない場合も同様に、ラベルが外箱の内面に摺動して破損する問題があった。
【０００６】
本発明は、ラベルの破損を防止できる瓶用包装箱を提供することを目的とする。
【課題を解決するための手段】
【０００７】
上記目的を達成するために本発明は、胴部よりも細い首部を有した瓶を包装する瓶用包装箱において、複数の側面板を有した筒状の側面部と、前記側面部の上面を開閉する蓋部と、前記側面部の底面を閉じる底面部と、対向する前記側面板に連設して前記首部を支持する一対の支持板とを備え、前記支持板が前記側面板の上端から折曲される脚部と、前記脚部から折曲して下方に延びる延設部と、前記延設部上に配して前記首部の周面に当接する当接部とを有し、前記延設部の下端が前記側面部の内面に当接することにより、前記当接部が前記首部を押圧した状態で挟むことを特徴としている。
【０００８】
また本発明は上記構成の瓶用包装箱において、前記延設部に設けられる孔部と、前記孔部の水平方向に対向する二辺からそれぞれ折曲される押え片とを備え、前記当接部が前記押え片により形成されることを特徴としている。
【０００９】
また本発明は上記構成の瓶用包装箱において、前記孔部の水平方向に対向する二辺の距離が前記脚部から離れるに従って狭くなることを特徴としている。
【００１０】
また本発明は上記構成の瓶用包装箱において、前記蓋部を閉じた際に、前記蓋部の下面が前記延設部の上端に近接した状態または当接した状態に配されることを特徴としている。
【００１１】
また本発明は上記構成の瓶用包装箱において、一方の前記脚部が前記延設部との境界線上から突出する突出部を有し、他方の前記脚部に前記突出部が進入する切欠き部を設けたことを特徴としている。
【００１２】
また本発明は上記構成の瓶用包装箱において、前記延設部の下端に凹部を設けたことを特徴としている。
【００１３】
また本発明は上記構成の瓶用包装箱において、前記延設部に設けられる孔部を備え、前記当接部が前記孔部の周縁により形成されることを特徴としている。
【発明の効果】
【００１４】
本発明によると、一対の支持板が側面板の上端から折曲される脚部と、脚部から折曲して下方に延びる延設部と、延設部上に配した当接部とを有する。延設部の下端が側面部の内面に当接することにより、各支持板上の当接部が首部を押圧した状態で挟む。これにより、瓶の回転が防止され、瓶の胴部に貼り付けられるラベルの破損を防止することができる。
【図面の簡単な説明】
【００１５】
【図１】本発明の実施形態の瓶用包装箱の上面を開いた状態を示す斜視図
【図２】本発明の実施形態の瓶用包装箱のブランク板を示す平面図
【図３】本発明の実施形態の瓶用包装箱の支持板により首部を支持した状態を示す上面図
【図４】本発明の実施形態の瓶用包装箱の支持板により首部を支持した状態を示す正面断面図
【発明を実施するための形態】
【００１６】
以下に図面を参照して本発明の実施形態を説明する。図１は一実施形態の瓶用包装箱の上面を開いた状態の斜視図を示している。瓶用包装箱１は段ボール紙等のブランク板１０（図２参照）を折曲して形成され、酒等を充填された瓶３０を収納して包装する。
【００１７】
瓶３０はガラス、陶磁器、プラスチック等により形成され、胴部３１及び首部３２を有している。胴部３１は円筒状に形成され、胴部３１の外周面上には品名等を表示するラベル３３が貼り付けられる。首部３２は胴部３１の上方に連続して胴部３１よりも細い円筒状に形成される。
【００１８】
瓶用包装箱１は側面部２、蓋部３、底面部５及び支持板２０を備えている。側面部２は側面板１１〜１４によって水平断面が矩形の筒状に形成される。蓋部３は上面板１５及び差込片１５ａによって側面板１１の上端から折曲可能に形成され、側面部２の上面を開閉する。底面部５は底面板１６〜１９（図２参照）により形成され、側面部２の底面を閉じる。
【００１９】
支持板２０は対向する側面板１１及び側面板１３の上端にそれぞれ連設される。詳細を後述するように、一対の支持板２０によって瓶３０の首部３２が支持される。
【００２０】
図２は瓶用包装箱１を形成するブランク板１０の平面図を示している。瓶用包装箱１は段ボール紙、厚紙等により形成される一枚のブランク板１０を折り線２９上で折曲して組み立てられる。折り線２９は押罫または所定周期で切込みを配したミシン目により形成される。
【００２１】
ブランク板１０は折り線２９を介して連設される側面板１１、側面板１２、側面板１３、側面板１４及び糊代片１４ａを有している。糊代片１４ａを側面板１１に接着することにより、筒状の側面部２（図１参照）が形成される。
【００２２】
側面板１１、側面板１２、側面板１３及び側面板１４の下端にはそれぞれ底面板１６、底面板１７、底面板１８及び底面板１９が折り線２９を介して連設される。底面板１６〜１９はオートボトム構造の底面部５（図１参照）を構成する。底面板１６、１８は台形の同じ形状に形成される。底面板１７、１９は同じ形状に形成され、側面板１１〜１４の並設方向に対して傾斜した折り線２９上で折曲される糊代片１７ａ、１９ａを有している。
【００２３】
底面板１６の内面は糊代片１７ａの外面に接着され、底面板１８の内面は糊代片１９ａの外面に接着される。底面板１７の先端が底面板１８の内面側に配されるとともに底面板１９の先端が底面板１６の内面側に配され、底面板１７、１９が互いに係合する。これにより、底面部５（図１参照）が形成される。
【００２４】
側面板１２の上端には上面板１５が折り線２９を介して連設される。上面板１５の開放端には差込片１５ａが折り線２９を介して連設される。上面板１５及び差込片１５ａは側面部２（図１参照）の上面を開閉する蓋部３（図１参照）を形成する。側面板１４の内面に沿って差込片１５ａを差し込むことにより側面部２（図１参照）の上面が閉じられる。
【００２５】
側面板１１、１３の上端にはそれぞれ支持板２０が折り線２９を介して連設される。支持板２０は脚部２１及び延設部２２を有している。脚部２１は側面板１１、１３に隣接し、折り線２９によって側面板１１、１３から折曲される。延設部２２は脚部２１に折り線２９を介して連設され、瓶３０の包装時に脚部２１から折曲して下方に延びる。
【００２６】
延設部２２の開放端には凹部２７が形成される。凹部２７の周縁は瓶３０の首部３２（図１参照）の半径よりも大きい曲率半径の円弧状に形成される。
【００２７】
延設部２２には切込み２８ａ、２８ｂ、２８ｃによって孔部２３が形成される。切込み２８ａは延設部２２と脚部２１との境界線を形成する折り線２９上から延設部２２の開放端側に凸のＶ字状に形成される。切込み２８ｂは切込み２８ａに対向したＶ字状に形成される。切込み２８ｃは切込み２８ａの中央部と切込み２８ｂの中央部とを連結する。
【００２８】
切込み２８ａの両端は切込み２８ｂの両端と折り線２９により連結される。これにより、孔部２３の水平方向に対向する二辺から折曲される観音開きの押え片２４が形成される。また、孔部２３の水平方向に対向する二辺の距離は脚部２１から離れるに従って狭くなっている。
【００２９】
側面板１３に隣接する脚部２１には、脚部２１と延設部２２との境界線を形成する折り線２９上から突出する突出部２６が切込み２８ａによって形成される。側面板１１に隣接する脚部２１には、脚部２１と延設部２２との境界線を形成する折り線２９上から側面板１１側に凸のＶ字状に切り欠いた切欠き部２５が設けられる。これにより、脚部２１上の切欠き部２５は延設部２２上の孔部２３に連続して形成される。
【００３０】
脚部２１と延設部２２との境界線（折り線２９）に直交する方向の脚部２１の長さＬ２は、支持板２０を形成した対向する側面板１１、１３間の距離Ｌ１の１／２よりも短い。即ち、下記の式（１）の関係を満たしている。これにより、両方の脚部２１の相互の干渉を防止することができる。
【００３１】
脚部２１と延設部２２との境界線（折り線２９）に直交する方向の延設部２２の長さＬ３と脚部２１の長さＬ２との差は距離Ｌ１の１／２よりも短い。即ち、下記の式（２）の関係を満たしている。これにより、側面部２内に延設部２２を挿入する際に両方の延設部２２の相互の干渉を防止することができる。
【００３２】
また、延設部２２の下端に凹部２７が設けられるため、側面部２内に延設部２２を挿入する際に、延設部２２と首部３２との干渉を防止することができる。この時、脚部２１と延設部２２との境界線（折り線２９）から凹部２７までの距離Ｌ４と長さＬ２との差は、距離Ｌ１と首部３２の直径Ｄ（図１参照）との差の１／２よりも小さい。即ち、下記の式（３）の関係を満たしている。
【００３３】
Ｌ２＜（Ｌ１）／２  ・・・（１）
Ｌ３−Ｌ２＜（Ｌ１）／２  ・・・（２）
Ｌ４−Ｌ２＜（Ｌ１−Ｄ）／２  ・・・（３）
【００３４】
図３、図４は瓶用包装箱１の支持板２０により首部３２を支持した状態を示す上面図及び正面断面図を示している。図４は図３のＡ−Ａ断面を示している。図３、図４において蓋部３（図１参照）は省略している。
【００３５】
支持板２０の脚部２１は側面板１１、１３から折曲され、脚部２１から延設部２２が下方に折曲される。支持板２０が回動して脚部２１を水平に近づけていくと、首部３２の上端は孔部２３内に進入する。これにより、首部３２の周面が押え片２４に当接し、延設部２２が傾斜する。即ち、押え片２４は首部３２の周面に当接する当接部を構成する。
【００３６】
この時、切込み２８ａ（図２参照）がＶ字状に形成されるため、押え片２４の上端と脚部２１の下面との干渉を防止することができる。
【００３７】
押え片２４が首部３２に当接した状態で支持板２０が更に回動すると、延設部２２の下端が側面板１１、１３の内面（側面部２の内面）に当接する。延設部２２が側面板１１、１３に当接した状態で支持板２０を更に回動すると、押え片２４が変形して首部３２を押圧する。脚部２１が略水平に配置されると、一対の支持板２０の押え片２４が首部３２を押圧した状態で挟む。
【００３８】
この時、切欠き部２５内に突出部２６が進入するため、側面部２（図１参照）の上面に面した切欠き部２５が突出部２６により塞がれる。このため、蓋部３を開いた際に、変形状態の押え片２４が切欠き部２５を介して視認されないため、瓶３０が収納された状態の美感を向上することができる。
【００３９】
そして、支持板２０と側面板１４との間に差込片１５ａが差し込まれ、蓋部３が閉じられる。この時、蓋部３の上面板１５の下面が略水平な脚部２１に面し、延設部２２の上端に近接した状態または当接した状態に配される。このため、脚部２１の上方への回動が規制され、延設部２２の下端が側面板１１、１３から離れることを防止する。これにより、首部３２が押え片２４に挟まれた状態が保持され、瓶３０の回転を防止することができる。
【００４０】
尚、孔部２３の水平方向に対向する二辺が平行であると、正面から見て（側面板１２に垂直な方向から見て）押え片２４の等高線は傾斜した延設部２２に平行に配される。このため、押え片２４は首部３２の周面にある程度の範囲を有した点状に接触する。
【００４１】
これに対して本実施形態は、孔部２３の水平方向に対向する二辺が下方になるほど狭いため、正面から見て押え片２４の等高線を鉛直に近づけることができる。このため、押え片２４は首部３２の周面に帯状に接触し、接触範囲を大きくすることができる。従って、瓶３０の回転をより確実に防止することができる。
【００４２】
また、瓶３０を取り出す際は蓋部３を開き、切欠き部２５または突出部２６に手指を掛けて脚部２１を上方に回動させる。これにより、支持板２０を側面部２の外側に退避させて瓶３０を取り出すことができる。
【００４３】
本実施形態によると、一対の支持板２０が側面板１１、１３の上端から折曲される脚部２１と、脚部２１から折曲して下方に延びる延設部２２と、延設部２２上に配した押え片２４（当接部）とを有する。また、延設部２２の下端が側面板１１、１３の内面に当接することにより、両方の支持板２０上の押え片２４が首部３２を押圧した状態で挟む。これにより、瓶３０の回転が防止され、胴部３１に貼り付けられるラベル３３と側面部２の内面との摺動によるラベル３３の破損を防止することができる。
【００４４】
また、延設部２２に設けた孔部２３の水平方向に対向する二辺から折曲される一対の押え片２４により、首部３２を押圧した状態で挟む当接部を容易に実現することができる。
【００４５】
また、孔部２３の水平方向に対向する二辺の距離が脚部２１から離れるに従って狭くなるので、首部３２上の押え片２４の接触範囲を大きくすることができる。従って、瓶３０の回転をより確実に防止することができる。
【００４６】
また、蓋部３を閉じた際に、蓋部３の上面板１５の下面が延設部２２の上端に近接した状態または当接した状態に配されるので、押え片２４（当接部）が首部３２を挟む状態を保持することができる。
【００４７】
また、一方の脚部２１が延設部２２との境界線を形成する折り線２９上から突出する突出部２６を有し、他方の脚部２１に突出部２６が進入する切欠き部２５が設けられる。これにより、突出部２６または切欠き部２５に手指を掛けて支持板２０を容易に退避させることができる。また、側面部２の上面に面した切欠き部２５が突出部２６により塞がれるため、瓶３０が収納された状態の美感を向上することができる。尚、突出部２６を省いてもよく、一対の支持板２０の両方に切欠き部２５を設けてもよい。
【００４８】
また、延設部２２の下端に凹部２７を設けたので、側面部２内に延設部２２を挿入する際に、延設部２２と首部３２との干渉を防止することができる。
【００４９】
本実施形態において、首部３２を押圧する当接部を押え片２４と異なる構成にしてもよい。例えば、押え片２４を省き、孔部２３の周縁によって首部３２を押圧する当接部を形成してもよい。
【００５０】
また、瓶用包装箱１が胴部３１を覆う緩衝材を備えてもよい。緩衝材は側面板１１〜１４の内面上に配され、側面板１１〜１４及び緩衝材によって側面部２が形成される。この場合も上記と同様に、延設部２２の下端が側面部２の内面に当接し、延設部２２に設けた当接部が首部３２を押圧した状態で挟む。これにより、瓶３０の回転を防止して胴部３１と緩衝材との摺動によるラベル３３の破損を防止することができる。
【産業上の利用可能性】
【００５１】
本発明によると、首部を有する瓶を包装する瓶用包装箱に利用することができる。
【符号の説明】
【００５２】
１      瓶用包装箱
２      側面部
３      蓋部
５      底面部
１０      ブランク板
１１〜１４  側面板
１４ａ    糊代片
１５      上面板
１５ａ    差込片
１６〜１９  底面板
１７ａ、１９ａ  糊代片
２０      支持板
２１      脚部
２２      延設部
２３      孔部
２４      押え片
２５      切欠き部
２６      突出部
２７      凹部
２８ａ、２８ｂ、２８ｃ  切込み
２９      折り線
３０      瓶
３１      胴部
３２      首部
３３      ラベル
【図１】
2020070097.tif 000003
【図２】
2020070097.tif 000004
【図３】
2020070097.tif 000005
【図４】
2020070097.tif 000006